(57)【要約】【課題】携帯機器を介して電子装置をスタンバイ状態から復帰させることができるウェイクアップ装置及びそれを備えた電子設備を提供する。【解決手段】ウェイクアップ装置は、アンテナ部材と、無線モジュールと、電子装置本体と、を備える。無線モジュールは、アンテナ部材によって受信された携帯機器から出力された高周波信号に対して復調及び復号を行って、電子装置本体の遠隔操作を実行する。電子装置本体は、スタンバイ状態になった時、無線モジュールに電力を供給しない一方、ウェイクアップ装置に電力を供給する。ウェイクアップ装置は、所定の特性値又は所定の信号を記憶する記憶ユニットと、高周波信号の特性値が所定の特性値以上である場合又は高周波信号が所定の信号である場合、ウェイクアップ信号を生成する処理ユニットと、ウェイクアップ信号に基づいて電子装置本体をスタンバイ状態から復帰させるトリガユニットと、を備える。【選択図】図１
2014006906.tif 000002
【特許請求の範囲】
【請求項１】
アンテナ部材と、無線モジュールと、電子装置本体と、を備える電子装置に接続されるウェイクアップ装置であって、
前記無線モジュールは、前記アンテナ部材によって受信された携帯機器から送信した高周波信号に対して復調及び復号を行うことによって、前記電子装置本体の遠隔操作を実行することに用いられ、
前記電子装置本体は、スタンバイ状態になった時、前記無線モジュールに電力を供給しない一方、前記ウェイクアップ装置に電力を供給することに用いられ、
前記ウェイクアップ装置は、
所定の特性値又は所定の信号を記憶することに用いられる記憶ユニットと、
前記アンテナ部材に電気的に接続され、前記アンテナ部材によって受信された前記携帯機器から出力された高周波信号の特性値が記憶ユニットに記憶されている所定の特性値以上である場合又は前記アンテナ部材によって受信された前記携帯機器から出力された高周波信号が所定の信号である場合、ウェイクアップ信号を生成することに用いられる処理ユニットと、
前記ウェイクアップ信号に基づいてスタンバイ状態である電子装置本体をスタンバイ状態から復帰させるトリガユニットと、
を備えることを特徴とするウェイクアップ装置。
【請求項２】
前記記憶ユニットに記憶されている所定の特性値は、所定の電力値であり、
前記処理ユニットは、前記アンテナ部材によって受信された前記携帯機器から出力された高周波信号の電力値を計算し、且つ高周波信号の電力値が前記記憶ユニットに記憶されている所定の電力値以上である場合、前記ウェイクアップ信号を生成することに用いられることを特徴とする請求項１に記載のウェイクアップ装置。
【請求項３】
前記記憶ユニットに記憶されている所定の特性値は、所定の電圧値又は所定の電流値であり、
前記処理ユニットは、前記アンテナ部材によって受信された前記携帯機器から出力された高周波信号の電圧値又は電流値を計算し、且つ高周波信号の電圧値が前記記憶ユニットに記憶されている所定の電圧値以上である場合又は高周波信号の電流値が前記記憶ユニットに記憶されている所定の電流値以上である場合、前記ウェイクアップ信号を生成することに用いられることを特徴とする請求項１に記載のウェイクアップ装置。
【請求項４】
前記記憶ユニットに記憶されている所定の特性値は、所定の回数であり、
前記処理ユニットは、前記アンテナ部材によって受信された前記携帯機器から出力された高周波信号の回数を計算し、且つ高周波信号の回数が前記記憶ユニットに記憶されている所定の回数以上である場合、前記ウェイクアップ信号を生成することに用いられることを特徴とする請求項１に記載のウェイクアップ装置。
【請求項５】
前記記憶ユニットに記憶されている所定の特性値は、所定の持続期間であり、
前記処理ユニットは、前記アンテナ部材によって受信された前記携帯機器から出力された高周波信号の持続期間を計算し、且つ高周波信号の持続期間が前記記憶ユニットに記憶されている所定の持続期間以上である場合、前記ウェイクアップ信号を生成することに用いられることを特徴とする請求項１に記載のウェイクアップ装置。
【請求項６】
前記処理ユニットは、前記アンテナ部材によって受信された前記携帯機器から送信した高周波信号に対して復調及び復号を行い、且つ復調及び復号された高周波信号が所定の信号である場合、前記ウェイクアップ信号を生成することに用いられることを特徴とする請求項１ないし５のいずれか１項に記載のウェイクアップ装置。
【請求項７】
ウェイクアップ装置の電力は、内蔵されている電池によって供給されることを特徴とする請求項１ないし６のいずれか１項に記載のウェイクアップ装置。
【請求項８】
請求項１ないし７のいずれか１項に記載のウェイクアップ装置と、
アンテナ部材と、無線モジュールと、電子装置本体と、を備え、前記無線モジュールは、前記アンテナ部材によって受信された携帯機器から出力された高周波信号に対して復調及び復号を行って、電子装置本体の遠隔操作を実行し、前記電子装置本体は、スタンバイ状態になった時、前記無線モジュールに電力を供給しない一方、前記ウェイクアップ装置に電力を供給する、電子装置と、
を備えることを特徴とする電子設備。
【請求項９】
前記電子装置本体がスタンバイ状態から復帰する時、前記電子装置本体は、前記無線モジュールに電力を供給し、且つ前記無線モジュールの電力供給を制御し、
前記処理ユニットは、前記アンテナ部材によって受信された前記携帯機器から出力された高周波信号に対して復調及び復号を行い、且つ復調及び復号された高周波信号が所定の信号である場合、前記ウェイクアップ信号を生成し、
前記処理ユニットが前記アンテナ部材によって受信された前記携帯機器から出力された高周波信号に対して復調及び復号を行うデータ処理量は、前記無線モジュールが前記アンテナ部材によって受信された前記携帯機器から送信した高周波信号に対して復調及び復号を行うデータ処理量より少なく、
前記ウェイクアップ装置の電力消費量は、前記無線モジュールの電力消費量より少ないことを特徴とする請求項８に記載の電子設備。
【発明の詳細な説明】
【技術分野】
【０００１】
本発明は、ウェイクアップ装置及びそれを備えた電子設備に関するものである。
【背景技術】
【０００２】
携帯電話やタブレットパソコンなどの携帯機器は、Ｗｉ−Ｆｉを介してテレビ、ＤＶＤプレイヤーなどのような電子装置を無線遠隔制御することができる。具体的には、電子装置の内部に位置するＷｉ−Ｆｉモジュールが起動状態であるとき、無線遠隔操作を行うことができる。しかし、電子装置がシャットダウンした後スタンバイ状態になっている時、電子装置のＷｉ−Ｆｉモジュールの電源もオフされているため、携帯機器によってＷｉ−Ｆｉを介して電子装置を無線遠隔制御できず、電子装置をウェイクアップ（即ち、電子装置をスタンバイ状態から復帰）できない。
【発明の概要】
【発明が解決しようとする課題】
【０００３】
本発明の目的は、前記課題を解決するために、携帯機器を介してスタンバイ状態である電子装置をスタンバイ状態から復帰させることができるウェイクアップ装置及びそれを備えた電子設備を提供することである。
【課題を解決するための手段】
【０００４】
前記目的を達成するため、本発明に係るウェイクアップ装置は、アンテナ部材と、無線モジュールと、電子装置本体と、を備える電子装置に接続される。前記無線モジュールは、前記アンテナ部材によって受信された携帯機器から出力された高周波信号に対して復調及び復号を行うことによって、前記電子装置本体の遠隔操作を実行することに用いられ、前記電子装置本体は、スタンバイ状態になった時、前記無線モジュールに電力を供給しない一方、前記ウェイクアップ装置に電力を供給することに用いられ、前記ウェイクアップ装置は、所定の特性値又は所定の信号を記憶することに用いられる記憶ユニットと、前記アンテナ部材に電気的に接続され、前記アンテナ部材によって受信された前記携帯機器から出力された高周波信号の特性値が記憶ユニットに記憶されている所定の特性値以上である場合又は前記アンテナ部材によって受信された前記携帯機器から出力された高周波信号が所定の信号である場合、ウェイクアップ信号を生成することに用いられる処理ユニットと、前記ウェイクアップ信号に基づいてスタンバイ状態である電子装置本体をスタンバイ状態から復帰させるトリガユニットと、を備える。
【０００５】
前記目的を達成するため、本発明に係る電子設備は、前記ウェイクアップ装置と、電子装置と、を備える。電子装置は、アンテナ部材と、無線モジュールと、電子装置本体と、を備える。前記無線モジュールは、前記アンテナ部材によって受信された携帯機器から出力された高周波信号に対して復調及び復号を行って、電子装置本体の遠隔操作を実行し、前記電子装置本体は、スタンバイ状態になった時、前記無線モジュールに電力を供給しない一方、前記ウェイクアップ装置に電力を供給する。
【発明の効果】
【０００６】
本発明のウェイクアップ装置及びそれを備えた電子設備は、電子装置本体がスタンバイ状態になった時、ウェイクアップ装置が、携帯機器を介して電子装置本体をスタンバイ状態から復帰させる。これにより、電子装置のウェイクアップを実現することができる。
【図面の簡単な説明】
【０００７】
【図１】本発明の実施形態に係る電子装置の機能ブロック図である。
【発明を実施するための形態】
【０００８】
以下、図面を参照して、本発明の実施形態について説明する。
【０００９】
図１を参照すると、電子設備１００は、電子装置２００及びウェイクアップ装置３００を備える。本実施形態において、電子装置２００は、テレビであり、携帯機器４００は、携帯電話である。
【００１０】
電子装置２００は、アンテナ部材２０と、無線モジュール２２と、電子装置本体２４と、を備える。電子装置本体２４は、スタンバイ状態であるときに、アンテナ部材２０に電力を供給する一方、無線モジュール２２に電力を供給しない。ウェイクアップ装置３００は、携帯機器４００を介してスタンバイ状態である電子装置本体２４をスタンバイ状態から復帰させる。本実施形態において、無線モジュール２２は、Ｗｉ−Ｆｉモジュールである。
【００１１】
ウェイクアップ装置３００には、スタンバイ状態である電子装置本体２４又は内蔵されている電池（図示せず）によって電力が供給される。本実施形態において、ウェイクアップ装置３００の電力消費量は、無線モジュール２２の電力消費量より少ない。
【００１２】
ウェイクアップ装置３００は、記憶ユニット３０と、処理ユニット３２と、トリガユニット３４と、を備える。
【００１３】
記憶ユニット３０は、所定の特性値又は所定の信号を記憶することに用いられる。
【００１４】
処理ユニット３２は、アンテナ部材２０に電気的に接続され、アンテナ部材２０によって受信された携帯機器４００から出力された高周波信号の特性値が、記憶ユニット３０に記憶されている所定の特性値以上である場合、ウェイクアップ信号を生成することに用いられる。
【００１５】
トリガユニット３４は、ウェイクアップ信号に基づいてスタンバイ状態である電子装置本体２４をスタンバイ状態から復帰させる。
【００１６】
電子装置本体２４をスタンバイ状態から復帰させる時、電子装置本体２４は、無線モジュール２２に電力を供給し、且つ無線モジュール２２の電力供給を制御することによって、無線モジュール２２は、アンテナ部材２０が携帯機器４００から送信した高周波信号に対して復調及び復号を行って、電子装置本体２４の遠隔操作を実行する。
【００１７】
具体的には、第一実施形態において、記憶ユニット３０に記憶されている所定の特性値は、所定の電力値である。処理ユニット３２は、アンテナ部材２０によって受信された携帯機器４００から出力された高周波信号の電力値を計算し、且つ高周波信号の電力値が記憶ユニット３０に記憶されている所定の電力値以上である場合、ウェイクアップ信号を生成することに用いられる。
【００１８】
第二実施形態において、記憶ユニット３０に記憶されている所定の特性値は、所定の電圧値である。処理ユニット３２は、アンテナ部材２０によって受信された携帯機器４００から出力された高周波信号の電圧値を計算し、且つ高周波信号の電圧値が記憶ユニット３０に記憶されている所定の電圧値以上である場合、ウェイクアップ信号を生成することに用いられる。
【００１９】
第三実施形態において、記憶ユニット３０に記憶されている所定の特性値は、所定の電流値である。処理ユニット３２は、アンテナ部材２０によって受信された携帯機器４００から出力された高周波信号の電流値を計算し、且つ高周波信号の電流値が記憶ユニット３０に記憶されている所定の電流値以上である場合、ウェイクアップ信号を生成することに用いられる。
【００２０】
第四実施形態において、記憶ユニット３０に記憶されている所定の特性値は、所定の回数である。処理ユニット３２は、アンテナ部材２０によって受信された携帯機器４００から出力された高周波信号の回数を計算し、且つ高周波信号の回数が記憶ユニット３０に記憶されている所定の回数以上である場合、ウェイクアップ信号を生成することに用いられる。
【００２１】
第五実施形態において、記憶ユニット３０に記憶されている所定の特性値は、所定の持続期間である。処理ユニット３２は、アンテナ部材２０によって受信された携帯機器４００から出力された高周波信号の持続期間を計算し、且つ高周波信号の持続期間が記憶ユニット３０に記憶されている所定の持続期間以上である場合、ウェイクアップ信号を生成することに用いられる。
【００２２】
別の実施形態において、記憶ユニット３０は、所定の信号を記憶することに用いられる。処理ユニット３２は、アンテナ部材２０によって受信された携帯機器４００から出力された高周波信号が所定の信号である場合、ウェイクアップ信号を生成することに用いられる。トリガユニット３４は、ウェイクアップ信号に基づいてスタンバイ状態である電子装置本体２４をスタンバイ状態から復帰させる。具体的には、処理ユニット３２は、アンテナ部材２０によって受信された携帯機器４００から出力された高周波信号に対して復調及び復号を行い、且つ復調及び復号された高周波信号が所定の信号である場合、ウェイクアップ信号を生成する。本実施形態において、処理ユニット３２がアンテナ部材２０によって受信された携帯機器４００から出力された高周波信号に対して復調及び復号を行うデータ処理量は、無線モジュール２２がアンテナ部材２０によって受信された携帯機器４００から出力された高周波信号に対して復調及び復号を行うデータ処理量より少ない。従って、ウェイクアップ装置３００の電力消費量は、無線モジュール２２の電力消費量より少ない。
【００２３】
電子設備１００において、電子装置本体２４がスタンバイ状態になった場合、無線モジュール２２に電力を供給しない一方、ウェイクアップ装置３００に電力を供給する。ウェイクアップ装置３００は、携帯機器４００を介して電子装置本体２４をスタンバイ状態から復帰させる。これにより、電子装置本体２４をウェイクアップする。また、ウェイクアップ装置３００の電力消費量が少ないため、エネルギー消費量が削減されることができる。
【００２４】
以上、本発明を実施形態に基づいて具体的に説明したが、本発明は、上述の実施形態に限定されるものではなく、その要旨を逸脱しない範囲において、種々の変更が可能であることは勿論であって、本発明の保護範囲は、以下の特許請求の範囲から決まる。
【符号の説明】
【００２５】
２０  アンテナ部材
２２  無線モジュール
２４  電子装置本体
３０  記憶ユニット
３２  処理ユニット
３４  トリガユニット
１００  電子設備
２００  電子装置
３００  ウェイクアップ装置
４００  携帯機器
【図１】
2014006906.tif 000003